(57)【要約】【課題】アンカー本体の拡張部に圧入されるコーンの抜け防止が確実で、大きな保持力（引抜き強度）が得られるコンクリート用打込みアンカーを提供する。【解決手段】一端部に雌ねじ部２２を有し、他端部に開口端から軸方向へ延びる複数の割溝２３を設けて複数の拡開片２４により筒状に形成されている拡張部２５を有するアンカー本体２１と、拡張部２５に圧入して拡開片２４を拡開させるコーン３１とからなるコンクリート用打込みアンカーにおいて、コーン３１のテーパ部３３に複数の環状段部３７が軸方向に並列して設けられ、環状段部３７の外周縁に環状の抜け止め刃３８が形成されている。【選択図】      図１
2004360198.tif 000002
【特許請求の範囲】
【請求項１】
一端部に雌ねじ部又は雄ねじ部を有し、他端部に開口端から軸方向へ延びる複数の割溝を設けて複数の拡開片により筒状に形成されている拡張部を有するアンカー本体と、前記拡張部に圧入して前記拡開片を拡開させるコーンとからなるコンクリート用打込みアンカーにおいて、
前記コーンのテーパ部に複数の環状段部が軸方向に並列して設けられ、前記環状段部の外周縁に環状の抜け止め刃が形成されていることを特徴とするコンクリート用打込みアンカー。
【請求項２】
前記環状段部が、前記コーンの最大径部から前記テーパ部の中間部位の間に設けられている請求項１記載のコンクリート用打込みアンカー。
【請求項３】
前記コーンの最大径部に更に先端に向かって延びる打撃受け座体が設けられている請求項１又は２記載のコンクリート用打込みアンカー。
【請求項４】
前記打撃受け座体が、前記コーンの最大径部より大径に形成されている請求項１ないし３のいずれかに記載のコンクリート用打込みアンカー。
【発明の詳細な説明】
【０００１】
【発明の属する技術分野】
本発明は、アンカー本体の先端部分に形成した筒状の拡張部にコーンを圧入し、アンカー本体に直接打撃力を加えて拡開させるコンクリート用打込みアンカーに関する。
【０００２】
【従来の技術】
この種の打込みアンカーは、例えば図４に示すように、アンカー本体１が一端部に雌ねじ部２（雄ねじ部の場合もある。）を有し、他端部に開口端から軸方向へ延びる複数の割溝３を設けて複数の拡開片４により筒状に形成されている拡張部５を有しており、拡張部５にコーン６を嵌め合わせて、コンクリート躯体７に予め穿孔した下穴８に差し込み、アンカー本体１にハンマー等により直接打撃力を加え、コーン６の楔作用により各拡開片４を半径方向へ拡開させ、コンクリート下穴８の側壁を削って喰い込ませることにより下穴８の側壁に固着するようになっている。なお、拡張部５の拡開を容易にするため拡開片５の先端に鋸刃状部９を設けることもある。
【０００３】
しかし、上記した従来の打込みアンカーは、コンクリート躯体７に固着した後、締結による矢印Ａ方向の軸力が作用すると、拡開片４に閉じ方向の応力が発生し、その反作用でコーン６に矢印Ｂの方向の応力が発生するので、各拡開片４がコーン６のテーパ壁面に沿って閉じる方向へ滑ってアンカー本体１が下穴８から抜ける危険性があり、大きな保持力が得られなかった。このため、この種の打込みアンカーは用途が軽荷重用に制限されていた。
【０００４】
一方、上記従来の打込みアンカーの問題点を解決し、大きな保持力（引抜き強度）が得られるとしたものが提案されている（例えば、特許文献１、特許文献２参照）。
【０００５】
【特許文献１】
実公昭６３−３２９７１号公報（第２頁、第２図）
【特許文献２】
特開平７−１５０６４３号公報（第６頁右欄、図４）
【０００６】
特許文献１に記載されている打込みアンカーは、図５に示すように、コーン６の最大径部１０から更に先端に向かって延びる収縮先端部１１を有する構造として、アンカー本体１の打込みにより拡開した拡開片４の先端部分１２が、コーン６の最大径部１０を通過したのち、弾性復元力により収縮してく字形に曲げられることでコーン６の抜け出しを防止し、大きな引抜き強度を得ることができるとしている。しかし、実際の施工に際しては、コンクリートの硬さ、作業者の熟練度等によって拡開片４の先端部分１２がコーン６の最大径部１０まで達しない場合がしばしばあり、また、先端部分１２が何処まで達しているかを目視で確認できないので、コーン６の抜け出し防止効果は確実とはいえない。
【０００７】
また、特許文献２に記載の打込みアンカーは、図６に示すように、コーン６の最大径部１０から更に先端に向かって延びる、最大径部１０と同一径の平行軸部を設け、該平行軸部の外周面に複数の環状段部１３を設けてコーン６の抜け止め肩部１４が形成されている構造である。しかし、この打込みアンカーも、先に述べた特許文献１記載の打込みアンカーと同様に、アンカー本体１の打込みにより拡開される拡開片４の先端部分１２がコーン６の最大径部１０を通過しなければコーン６の抜け防止機能が得られないという問題がある。
【０００８】
【発明が解決しようとする課題】
本願発は、上記した特許文献１及び２に記載の打込みアンカーを改良したものであり、コーンの抜け防止を確実にして、大きな保持力（引抜き強度）が得られるコンクリート用打込みアンカーを提供することを目的とする。
【０００９】
【課題を解決するための手段】
上記目的を達成するために、本発明は、一端部に雌ねじ部又は雄ねじ部を有し、他端部に開口端から軸方向へ延びる複数の割溝を設けて複数の拡開片により筒状に形成されている拡張部を有するアンカー本体と、前記拡張部に圧入して前記拡開片を拡開させるコーンとからなるコンクリート用打込みアンカーにおいて、前記コーンのテーパ部に複数の環状段部が軸方向に並列して設けられ、前記環状段部の外周縁に環状の抜け止め刃が形成されていることを特徴とする。
【００１０】
前記環状段部は、前記コーンの最大径部から前記テーパ部の中間部位の間に設け、前記コーンの先細部分には設けない構造とすると、アンカー本体の初期打込み時における前記拡開片の拡開作用がスムーズに行なわれる。
【００１１】
また、前記コーンの最大径部に更に先端に向かって延びる打撃受け座体を設けることが好ましい。この場合、前記打撃受け座体は、前記コーンの最大径部より大径に形成し、コンクリート躯体に設けた下穴の底部に前記コーンが安定した姿勢で支持されるようにする。
【００１２】
【発明の実施の形態】
以下、本発明の好適な実施の形態を図面に基づいて説明する。
【００１３】
図１は、本発明によるコンクリート用打込みアンカーを雌ねじタイプのアンカーに適用した例を示している。アンカー本体２１は、低炭素鋼製の筒軸により製作され、一端部に雌ねじ部２２を有し、他端部に開口端から軸方向に延びる４本の割溝２３を設けて４つの拡開片２４により筒状に形成された拡張部２５を有している。各拡開片２４の先端は後述する拡開を容易にするため鋸刃状の破砕刃２６が設けられている。破砕刃２６は焼入れ硬化されている。
【００１４】
コーン３１は炭素鋼製で、アンカー本体２１の拡張部２５の開口部に密接嵌合する短い円柱部３２に先拡がりのテーパ部３３が連設され、該テーパ部３３の最大径部３４から更に先端に向かって延びる最大径部３４とほぼ同一径の平行軸部３５に最大径部３４より大径の打撃受け座体３６が設けられている。テーパ部３３には先拡がりの傾斜壁面を有する複数の環状段部３７が軸方向に並列して設けられ、各環状段部３７の外周縁に環状の抜け止め刃３８が形成されている。環状段部３７は、テーパ部３３全体に設けてもよいが、図示のように、テーパ部３３の最大径部３４からテーパ部３３の中間部位の間に設け、円柱部３２に近いテーパ部３３には設けない構造とすることが好ましい。このような構成にすると、アンカー本体２１の初期打込み時における抵抗が小さく、拡開片２４の拡開が容易に行なわれる。コーン３１は全体を焼入れ処理して硬化されている。
【００１５】
図２は、上記構成を有するコンクリート用打込みアンカーの使用状態を示している。コーン３１を拡張部２５の開口端に嵌め合わせたアンカー本体２１をコンクリート躯体４０に予め穿孔加工した下穴４１にコーン３１側から挿入し、打撃受け座体３６を穴底４２に当接支持させた状態で、アンカー本体２１の上端に打撃棒４５を当てがってハンマー（図示せず）等でアンカー本体２１を打ち込むと、コーン３１のテーパ部３３の楔作用により、拡開片２４がテーパ部３３に沿って半径方向へ押し拡げられながら穴底４２側へ移動する。この拡開移動に伴って、拡開片２４の先端に設けた破砕刃２６が下穴４１の側壁をアンダーカットするように破砕して拡開片２４が容易に拡開されると共に、コーン３１のテーパ部３３に設けた環状段部３７が拡開片２４の内側に係合し、複数の抜け止め刃３８が拡開片２４の内側面に喰い込む。この抜け止め刃３８の喰い込み作用によって、コーン３１の抜け出しが防止されるので、アンカー本体２１の打込みによって拡開片２４がコーン３１の最大径部３４に達していない場合でも、コーン３１の抜け出しは確実に防止される。そして、アンカー本体２１の上端がコンクリート躯体４０の表面と面一になったとき、アンカー本体２１の打込みが完了する。このようにコンクリート躯体４０に固定したアンカー本体２１の雌ねじ部２２を用いて締結したとき、アンカー本体２１に作用する軸力によって拡開片２４が閉じ勝手になると、拡開片２４に対する抜け止め刃３８の喰い込み作用が増大するので、コーン３１の抜け防止効果は一層確実になる。一方、拡開片２４先端の破砕刃２６により破砕されたコンクリートの破砕くず４４はコーン３１の最大径部３４と打撃受け座体３６との間に形成される空所部４３に収容されるので、拡開片２４の拡開移動が妨げられることはない。
【００１６】
図３は、本発明を雄ねじタイプの打込みアンカーに適用した例を示しており、図１に示した打込みアンカーと異なる点は、雌ねじ部２２に代えてアンカー本体２１の一端部に雄ねじ部２７と打撃用頭部２８を設けた構成だけで、拡張部２５及びコーン３１の構成及び作用は、図１に示した打込みアンカーと同じであるから、同一構成部分に同一の符号を付して説明は省略する。
【００１７】
【発明の効果】
以上説明したように、本発明によれば、アンカー本体の拡張部に圧入されるコーンの抜け防止が確実で、大きな保持力（引抜き強度）が得られる。また、コーンの構造が単純で、安価に製造できる。
【図面の簡単な説明】
【図１】本発明によるコンクリート用打込みアンカーの正面図である。
【図２】同上打込みアンカーの使用状態を示す要部縦断正面図である。
【図３】本発明の別の実施形態を示す打込みアンカーの正面図である。
【図４】従来のコンクリート用打込みアンカーの使用状態を示す要部縦断正面図である。
【図５】別の従来例を示す要部縦断正面図である。
【図６】更に別の従来例を示す要部縦断正面図である。
【符号の説明】
２１  アンカー本体
２２  雌ねじ部
２３  割溝
２４  拡開片
２５  拡張部
２６  破砕刃
２７  雄ねじ部
３１  コーン
３２  円柱部
３３  テーパ部
３４  最大径部
３５  平行軸部
３６  打撃受け座体
３７  環状段部
３８  抜け止め刃
４０  コンクリート躯体
４１  下穴
４２  穴底
４３  空所部
【図１】
2004360198.tif 000003
【図２】
2004360198.tif 000004
【図３】
2004360198.tif 000005
【図４】
2004360198.tif 000006
【図５】
2004360198.tif 000007
【図６】
2004360198.tif 000008